(57)【特許請求の範囲】
【請求項１】
電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、
上記スライドプレートに格子状に配列されたピン導入孔内にて該スライドプレートの移動方向後方側の側壁の下部に設けられた突起部からなり、上記操作部材の操作によって上記スライドプレートが移動されて上記各コンタクトピンの一対の弾性片の接触部間が開く際、該接触部間が開く量を全体的に均一化する手段を備えたことを特徴とする電気部品用ソケット。
【請求項２】
上記突起部は、上記スライドプレートを移動操作したときの該スライドプレートの変形によって生じるピン導入孔の相対位置のずれに応じた大きさに形成されたことを特徴とする請求項１記載の電気部品用ソケット。
【請求項３】
電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、
上記スライドプレートに設けられたシャフト通し穴内の略中央部にて該スライドプレートの移動方向前方側に形成された凸部からなり、上記操作部材の操作によって上記スライドプレートが移動されて上記各コンタクトピンの一対の弾性片の接触部間が開く際、該接触部間が開く量を全体的に均一化する手段を備えたことを特徴とする電気部品用ソケット。
【請求項４】
電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、
上記スライドプレートを移動操作する中太形状のシャフトからなり、上記操作部材の操作によって上記スライドプレートが移動されて上記各コンタクトピンの一対の弾性片の接触部間が開く際、該接触部間が開く量を全体的に均一化する手段を備えたことを特徴とする電気部品用ソケット。
【発明の詳細な説明】
【０００１】
【発明の属する技術分野】
本発明は、ＩＣパッケージ等の電気部品を着脱自在に保持して外部の測定器に電気的に接続させる電気部品用ソケットに関し、詳しくは、上記電気部品用ソケットの複数本のコンタクトピンと、上記電気部品の各接続端子との電気的接触の安定化を図ることができる電気部品用ソケットに関するものである。
【０００２】
【従来の技術】
従来から、図８に示す例えばＢＧＡタイプのＩＣパッケージ３０等の電気部品についての性能検査を行うときには、上記ＩＣパッケージ３０の下面にて格子状に配列された球形状の各接続端子３１，３１，…を挟持して電気的接続を図り、上記電気部品を着脱自在に保持して外部の測定器に電気的に接続される治具が用いられており、そのような例として、特開平２０００−５８２１５号公報記載の電気部品用ソケットがある。
【０００３】
上記電気部品用ソケット１は、図１に示すと同様に、検査対象となるＩＣパッケージ３０（図８参照）等の電気部品を載置する載置面２ａが設けられたソケット本体２と、上記ＩＣパッケージ３０の接続端子３１に接触可能に形成され上記ソケット本体２の底部２ｂにて上記ＩＣパッケージ３０の接続端子３１に対応して格子状に配列された複数本のコンタクトピン３，３，…と、この複数本のコンタクトピン３，３，…に対応して格子状に配列されたピン導入孔４ａ，４ａ，…及び操作用のシャフトの通し穴４ｂが設けられたスライドプレート４（図９（ａ）参照）と、上記シャフト通し穴４ｂに通されたシャフト５に連結されたリンク機構６を介して上記スライドプレート４を移動操作する操作部材７と、上記載置面２ａに載置されるＩＣパッケージ３０を固定状態に保持する保持部材１０とを有して構成されていた。
【０００４】
そして、上記電気部品用ソケット１は、上記操作部材７を操作すると、上記スライドプレート４のピン導入孔４ａに配設された各コンタクトピン３の上端の接触部３ｅが同時に開閉して上記ソケット本体２の載置面２ａに載置されたＩＣパッケージ３０（図８参照）の下面に配列された各接続端子３１を挟持すると共に、上記保持部材１０がＩＣパッケージ３０を固定状態に保持することにより、上記電気部品３０を着脱自在に保持するようになっていた。このようにしてＩＣパッケージ３０を保持した電気部品用ソケット１の複数本のコンタクトピン３，３，…の下端部を図示省略の測定器のプリント配線板に電気的に接続することにより、上記ＩＣパッケージ３０の性能検査を行っていた。
【０００５】
【発明が解決しようとする課題】
しかし、近年の電気部品の高集積化による接続端子数の増加に伴って、上記電気部品用ソケット１に取り付けられるコンタクトピン３の本数が増加し、該コンタクトピン３の本数に対応して格子状に配列されたピン導入孔４ａ，４ａ，…は微細化する傾向にある。そのため、上記スライドプレート４を移動させて複数本のコンタクトピン３の各接触部３ｅを開閉する電気部品用ソケット１においては、図９（ｂ）に示すように、矢印Ｆの方向に移動されたシャフト５が湾曲して通し穴４ｂ内部の２点Ａ，Ｂのみが作用点となると、この２つの作用点Ａ，Ｂから力を受けたスライドプレート４の略中央部がその両端部に比べて後側に撓んで変形することがあった。これにより、上記スライドプレート４の中央部付近のピン導入孔４ａに対応するコンタクトピン３の接触部が十分に開かれず、ＩＣパッケージ３０の全接続端子３１に対して電気的に安定して接続できないことがあった。
【０００６】
そこで、本発明は、このような問題点に対処し、ＩＣパッケージ等の電気部品を着脱自在に保持して外部の測定器に電気的に接続させる電気部品用ソケットにおいて、上記電気部品用ソケットの複数本のコンタクトピンと上記電気部品の各接続端子との電気的接触の安定化を図ることができる電気部品用ソケットを提供することを目的とする。
【０００７】
【課題を解決するための手段】
上記目的を達成するために、本発明による電気部品用ソケットは、電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、上記スライドプレートに格子状に配列されたピン導入孔内にて該スライドプレートの移動方向後方側の側壁の下部に設けられた突起部からなり、上記操作部材の操作によって上記スライドプレートが移動されて上記各コンタクトピンの一対の弾性片の接触部間が開く際、該接触部間が開く量を全体的に均一化する手段を備えたものである。
【０００８】
このような構成により、スライドプレートに格子状に配列されたピン導入孔内にて該スライドプレートの移動方向後方側の側壁の下部に設けられた突起部からなる開き量均一化手段によって、操作部材の操作でスライドプレートが移動されて各コンタクトピンの一対の弾性片の接触部間が開く際、該接触部間が開く量を全体的に均一化する。
【０００９】
また、上記突起部は、上記スライドプレートを移動操作したときの該スライドプレートの変形によって生じるピン導入孔の相対位置のずれに応じた大きさに形成されたものである。これにより、上記スライドプレートの変形によって生じるピン導入孔の相対位置のずれに応じて上記複数本のコンタクトピンの一対の弾性片の各接触部間が開き、該接触部間の開く量が全体的に均一化される。
【００１０】
さらに、第２の手段による電気部品用ソケットは、電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、上記スライドプレートに設けられたシャフト通し穴内の略中央部にて該スライドプレートの移動方向前方側に形成された凸部からなり、上記操作部材の操作によって上記スライドプレートが移動されて上記各コンタクトピンの一対の弾性片の接触部間が開く際、該接触部間が開く量を全体的に均一化する手段を備えたものである。このような構成により、スライドプレートに設けられたシャフト通し穴内の略中央部にて該スライドプレートの移動方向前方側に形成された凸部からなる開き量均一化手段によって、上記操作部材の操作でスライドプレートが移動されて各コンタクトピンの一対の弾性片の接触部間が開く際、該接触部間が開く量を全体的に均一化する。
【００１１】
そして、第３の手段による電気部品用ソケットは、電気部品を載置する載置面が設けられたソケット本体と、一対の弾性片の両先端部に上記電気部品の接続端子に接触可能な接触部がそれぞれ形成され上記ソケット本体に配列された複数本のコンタクトピンと、該複数本のコンタクトピンに対応して配列されたピン導入孔が設けられ横方向に移動して上記各コンタクトピンの一対の弾性片の一方を弾性変形させて上記接触部間を開かせるスライドプレートと、該スライドプレートを移動操作する操作部材とを備えた電気部品用ソケットにおいて、上記スライドプレートを移動操作する中太形状のシャフトからなり、上記操作部材の操作によって上記スライドプレートが移動されて上記各コンタクトピンの一対の弾性片の接触部間が開く際、該接触部間が開く量を全体的に均一化する手段を備えたものである。このような構成により、スライドプレートを移動操作する中太形状のシャフトからなる開き量均一化手段によって、上記操作部材の操作でスライドプレートが移動されて各コンタクトピンの一対の弾性片の接触部間が開く際、該接触部間が開く量を全体的に均一化する。
【００１２】
【発明の実施の形態】
以下、本発明の実施の形態を添付図面に基づいて詳細に説明する。図１は、本発明による電気部品用ソケットの実施の形態を示す概略説明図で、（ａ）は平面図、（ｂ）は側面断面図である。この電気部品用ソケット１は、例えば図８に示すＢＧＡタイプのＩＣパッケージ３０等の電気部品についての性能検査を行う工程において、上記電気部品を着脱自在に保持して外部の測定器に電気的に接続する治具で、図１（ａ），（ｂ）に示すように、ソケット本体２と、コンタクトピン３と、スライドプレート４と、シャフト５と、リンク機構６と、操作部材７と、保持部材１０とを有し、さらに上記コンタクトピンの上端部に形成され、上記電気部品の接続端子へ接触する接触部の間が開く量を全体的に均一化する手段を備えて成る。
【００１３】
上記ソケット本体２は、例えば図８に示すＩＣパッケージ３０等の電気部品を載置して保持するもので、強度が高く、かつ耐熱性に優れた樹脂によって例えば箱状に成形されている。このソケット本体２の上面には、上記電気部品を載置する載置面２ａが設けられ、その底部２ｂには、図１（ｂ）に示すように、上記ＩＣパッケージ３０の下面にて格子状に配列された各接続端子３１（図８（ｂ）参照）に対応する圧入孔２ｃ，２ｃ，…が設けられている。また、上記ソケット本体２の底部２ｂの上面には、後述のコンタクトピン３を固定して保持する予圧プレート８が着脱自在に配設されており、該予圧プレート８には上記ソケット本体２の底部２ｂにて格子状に配列された各圧入孔２ｃと同様の予圧孔８ａが設けられている。
【００１４】
そして、上記ソケット本体２の圧入孔２ｃ及びその上面に配設された予圧プレート８の予圧孔８ａには、図１（ｂ）に示すように、それぞれコンタクトピン３が挿通されて取り付けられている。このコンタクトピン３は、上記ＩＣパッケージ３０の下面にて格子状に配列された各接続端子３１を挟持して図示省略の測定器のプリント配線板への電気的接続を図るもので、導電性に優れた材質をプレス加工して上記各接続端子３１に確実な接触を得るバネ性を有する形状に形成されている。
【００１５】
例えば、図２（ａ）に示すように、その上側には一対の弾性片、すなわち固定側弾性片３ａと可動側弾性片３ｂとが形成され、またその下側には１本のソルダーテール部３ｃが形成されている。そして、上記各弾性片３ａ，３ｂの基端部３ｄは、図２（ｂ）に示すように、略Ｕ字形に折曲されており、上記各弾性片３ａ，３ｂが互いに対向するようになっている。また、上記各弾性片３ａ，３ｂの両先端には、それぞれ接触部３ｅ，３ｅが形成されており、図８に示すＩＣパッケージ３０の下面に配列された各接続端子３１を挟持できるようになっている。
【００１６】
そして、上記コンタクトピン３の上側の一対の弾性片３ａ，３ｂの略中間部３ｆ，３ｆは、互いに相手側と離れる方向に折り曲げられており、上記コンタクトピン３に対して外力が作用していない状態では、図２（ａ）に示すように、上記各弾性片３ａ，３ｂの略中間部３ｆ，３ｆの頂点間の幅Ｈ１が、上記接触部３ｅ，３ｅ間の幅Ｈ２より広く形成されている。これにより、上記コンタクトピン３のソルダーテール部３ｃを、図２（ｃ）に示すように、上記予圧プレート８の予圧孔８ａ及びソケット本体２の圧入孔２ｃに挿入すると、上記各弾性片３ａ，３ｂの略中間部３ｆ，３ｆの各頂点は、予圧プレート８の予圧孔８ａによって押圧されるため、上記コンタクトピン３が上記ソケット本体２及び予圧プレート８によって各弾性片３ａ，３ｂに若干の閉じる方向の力を与えられて保持されるようになる。
【００１７】
なお、図２（ｃ）に示すソケット本体２から下方に突出した複数本のコンタクトピン３，３，…の各ソルダーテール部３ｃ，３ｃ，…は、図１（ｂ）に示すように、ロケートボード９を介して更に下方に突出し、その先端が図示省略のプリント配線板の各貫通孔に挿入されて半田付けされており、電気的に接続されるようになっている。
【００１８】
また、上記コンタクトピン３の上側の固定側弾性片３ａ及び可動側弾性片３ｂが形成されている位置には、図１（ｂ）に示すように、スライドプレート４が配設されている。このスライドプレート４は、上記各コンタクトピン３の一対の弾性片の一方、例えば可動側弾性片３ｂを弾性変形させて上記接触部３ｅ，３ｅ間を開かせるものであり、図３（ａ）に示すように、上記ソケット本体２の底部２ｂに取り付けられた複数本のコンタクトピン３，３，…に対応するように格子状に配列されたピン導入孔４ａ，４ａ，…を備えた所定の厚みを有する板状体で、その前端側には、後述のシャフト５を通すシャフト通し穴４ｂが設けられている。なお、上記シャフト通し穴４ｂは、後述のシャフト５の径よりも幅の広い長穴に形成されている。
【００１９】
上記スライドプレート４の前端部に設けられたシャフト通し穴４ｂには、図３（ａ）に示すように、シャフト５が通されている。このシャフト５は、上記スライドプレート４を例えば横方向に引張って移動させる棒状体で、例えばステンレス鋼から成る。
上記シャフト５の両端部には、図１（ｂ）に示すように、リンク機構６が連結されている。このリンク機構６は、後述の操作部材７（図１参照）を上下方向に移動する操作に応じて上記シャフト５を横方向に移動させるもので、例えば図４に示すように、同じ長さを有する第１及び第２のリンク部材６ａ，６ｂが互いの中心部にて第１連結ピン６ｃによって回動自在に連結されている。そして、上記第１のリンク部材６ａは、その左端部が第２連結ピン６ｄによって上記ソケット本体２に回動自在に連結されており、またその右端部が第２連結ピン６ｅによって後述の操作部材７に連結されている。また、上記第２のリンク部材６ｂは、その左端部が第３連結ピン６ｆによって後述の操作部材７に連結されており、またその右端部に設けられた長穴には上記シャフト５が連結されている。
【００２０】
上記リンク機構６の上方には、図１（ｂ）に示すように、操作部材７が連結されている。この操作部材７は、上述のリンク機構６を介して上記スライドプレートを移動操作するもので、上記リンク機構６を構成する第１のリンク部材６ａの右端部に連結された第２連結ピン６ｅと、第２のリンク部材６ｂの左端部に連結された第３連結ピン６ｆとよって上記リンク機構６に連結されている。したがって、図１（ｂ）に示す操作部材７に対し下方向に力を加える操作をすると、図４に示す実線で示された第１及び第２のリンク部材６ａ，６ｂは、点線で示された位置（６ａ′，６ｂ′）にまで移動し、上記第１のリンク部材６ａ′の右端部に設けられた長穴に連結されたシャフト５が図中右方向に移動することにより、該シャフト５に引っ張られてスライドプレート４が横方向に移動するようになる。
【００２１】
上記操作部材７の下方内側には、図１（ａ）に示すように、保持部材１０，１０が取り付けられている。この保持部材１０は、上記ソケット本体２の載置面２ａに載置されたＩＣパッケージ３０等の電気部品を固定状態に保持するもので、該保持部材１０に付勢力を与えて回動させるスプリングを備えている。これにより、上記操作部材７に対し下方向に力を加える操作をすると、上記保持部材１０が上記スプリングの付勢力に抗して図１（ｂ）において反時計回りに回動し、上記ＩＣパッケージ３０等の電気部品を装着するときに該電気部品が接触しない位置まで退避する。
【００２２】
ここで、本発明においては、開き量均一化手段が設けられている。この開き量均一化手段は、上記操作部材７の操作によって上記スライドプレート４が移動されて上記各コンタクトピン３，３，…の一対の弾性片３ａ，３ｂの接触部３ｅ，３ｅ間が開く際、該接触部３ｅ，３ｅ，間が開く量を全体的に均一化するもので、図３（ａ）に示すように、上記スライドプレート４に格子状に配列されたピン導入孔４ａ，４ａ，…内にて該スライドプレート４の移動方向後方側の側壁４ｃの下部に設けられた突起部２０，２０，…からなる。これにより、図３に示すスライドプレート４が横方向に移動する前の状態においては、図５（ａ）に示すように、上記突起部２０がコンタクトピン３に接触しないが、上記操作部材７を操作しリンク機構６を介してスライドプレート４を横方向に移動させると、図５（ｂ）に示すように、上記突起部２０がコンタクトピン３に当接して該コンタクトピン３の上端部に形成された各接触部３ｅ間が開くようになる。
【００２３】
そして、上記隔壁４ｃに設けられた突起部２０は、図３（ａ）に示すように、上記スライドプレート４を横方向に移動操作したときの該スライドプレート４の変形によって生じるピン導入孔４ａ，４ａ，…の相対位置のずれに応じた大きさに形成されたものである。すなわち、図３（ａ）に示すスライドプレート４が変形するときに撓みが大きくなる部分、例えば略中央部付近に設けられたピン導入孔４ａ1の移動方向後方側の側壁４ｃには、大きな突起部２０が形成され、またスライドプレート４が変形するときに撓みが小さい部分、例えば上記略中央部の両側に設けられたピン導入孔４ａ2の移動方向後方側の側壁４ｃには、小さな突起部２０′が形成されている。
【００２４】
これにより、上記スライドプレート４が図３（ｃ）に示すように変形することによってピン導入孔の相対位置のずれが生じても、該相対位置のずれに応じた大きさに形成された突起部２０，２０′によって上記スライドプレート４の変形を相殺するようにして上記各コンタクトピン３の一対の弾性片３ａ，３ｂの接触部３ｅ，３ｅ間が開く際、該接触部３ｅ間が開く量を全体として均一化することができる。そして、図５（ｃ）に示すように、上記コンタクトピン３の開かれた接触部３ｅ間が閉じることによって、ＩＣパッケージ３０の下面に設けられた総ての接続端子３１，３１，…を取り込んだ状態で挟持することができる。
【００２５】
以上のような構成により、上記スライドプレート４のピン導入孔４ａに配設された各コンタクトピン３の上端の接触部３ｅ間を上記操作部材７の操作によって開閉するときにおいて、上記開き量均一化手段（２０，２０，…）によってコンタクトピン３の各接触部３ｅ間が開く量を均一化することができるため、上記ソケット本体２の載置面２ａに載置されたＩＣパッケージ３０等の電気部品の全接続端子３１を取り込んで確実に挟持して電気的に安定した接触を確保することができる。そのため、上記ＩＣソケット３０等の電気部品の性能を検査するバーンインテストやハンドラテスト等を確実に行うことができる。
【００２６】
なお、開き量均一化手段は、図３（ａ）に示すスライドプレート４に設けられた格子状のピン導入孔４ａを形成する隔壁４ｃの下端側に設けられた突起部２０に限られず、他の方法によるものでもよい。図６は、本発明の第２の実施の形態を示す説明図で、シャフト通し穴４ｂを断面して示すスライドプレート４の平面図である。図６（ａ）において、上記スライドプレート４に設けられたシャフト通し穴４ｂ内の略中央部にて該スライドプレート４の移動方向前方側には、凸部２１が形成されている。これにより、図６（ｂ）に示すように、図１（ａ）に示す操作部材７の操作によって上記スライドプレートが移動されて上記各コンタクトピン３の一対の弾性片３ａ，３ｂの接触部３ｅ間が開く際、上記シャフト５が矢印Ｆの方向に移動して該シャフト５が湾曲しても、上記スライドプレート４のシャフト通し穴４ｂの略中央部に形成された凸部２１と、上記シャフト通し穴４ｂの左右両端側の２点Ａ，Ｂとの合計３点が作用点となって上記スライドプレート４を押し、該スライドプレート４の変形を防止することができる。これにより、上記操作部材７を操作することによって上記複数本のコンタクトピン３の上端に形成された各接触部３ｅ間を開く量を全体的に均一化することができる。
【００２７】
図７は、本発明の第３の実施の形態を示す説明図で、シャフト通し穴４ｂを断面してシャフト２２を示す平面図である。図７（ａ）において、上記操作部材７に連動するリンク機構（図４参照）によって上記スライドプレート４を移動させるシャフト２２が中太形状に形成されている。これにより、操作部材７が操作されて該操作部材７に連動するリンク機構６によってスライドプレート４が移動され、上記各コンタクトピン３の一対の弾性片３ａ，３ｂの接触部３ｅ間が開く際、上記シャフト２２の両側が曲がっても、該シャフト２２の前側面全体が作用点となって上記スライドプレート４のシャフト通し穴４ｂを押し、該スライドプレート４の変形を防止することができる。これにより、上記複数本のコンタクトピン３の上端に形成された各接触部３ｅ間を開く量を全体的に均一化することができる。
【００２８】
なお、以上の説明においては、電気部品用ソケットが保持して検査の対象となる電気部品は、図８に示すいわゆるＢＧＡタイプのＩＣパッケージ３０として説明したがこれに限られず、その下面にて格子状に配列された各接続端子の形状が棒状体のいわゆるＰＧＡタイプのＩＣパッケージにおいても適用することができる。
【００２９】
【発明の効果】
本発明は以上のように構成されたので、請求項１に係る発明によれば、スライドプレートに格子状に配列されたピン導入孔内にて該スライドプレートの移動方向後方側の側壁の下部に設けられた突起部からなる開き量均一化手段によって、操作部材の操作でスライドプレートが移動されて各コンタクトピンの一対の弾性片の接触部間が開く際、該接触部間が開く量を全体的に均一化することができる。したがって、電気部品用ソケットに載置された電気部品の全接続端子を取り込んで確実に挟持して電気的に安定した接触を確保することができ、その性能検査を確実に行うことができる。また、上記スライドプレートに格子状に設けられたピン導入孔のピッチ自体を変えなくても微妙な調節をすることができる。この場合、上記突起部は、上記操作部材の操作でスライドプレートが移動するときにのみ、コンタクトピンに当接して該コンタクトピンの一対の弾性片の接触部間を開く。これにより、上記スライドプレートが横方向に移動しない状態には、上記突起部がコンタクトピンに接触しない。したがって、上記スライドプレートに格子状に設けられたピン導入孔のピッチを確保することができる。
【００３１】
また、請求項２に係る発明によれば、上記突起部は、上記スライドプレートを移動操作したときの該スライドプレートの変形によって生じるピン導入孔の相対位置のずれに応じた大きさに形成されたものであることにより、上記スライドプレートの変形によって生じるピン導入孔の相対位置のずれに応じて上記各コンタクトピンの一対の弾性片の接触部間を開き、該接触部間が開く量を全体的に均一化することができる。これにより、上記スライドプレートの変形によってピン導入孔の相対位置のずれが生じても、上記突起部がその変形を相殺するようにして複数本のコンタクトピンの各接触部間を全体的に均一化して開くことができる。したがって、電気部品の下面に設けられた総ての接続端子を上記複数本のコンタクトピンが確実に挟持することができる。
【００３２】
さらに、請求項３に係る発明によれば、スライドプレートに設けられたシャフト通し穴内の略中央部にて該スライドプレートの移動方向前方側に形成された凸部からなる開き量均一化手段によって、操作部材の操作でスライドプレートが移動されて各コンタクトピンの一対の弾性片の接触部間が開く際、該接触部間が開く量を全体的に均一化することができる。この場合、上記凸部が作用点となって上記スライドプレートを押し、該スライドプレートの変形を防止することができる。したがって、上記各コンタクトピンの一対の弾性片の接触部間が開く量を全体的に均一化して電気的接触の安定化を図ることができる。
【００３３】
さらにまた、請求項４に係る発明によれば、スライドプレートを移動操作する中太形状のシャフトからなる開き量均一化手段によって、操作部材の操作でスライドプレートが移動されて各コンタクトピンの一対の弾性片の接触部間が開く際、該接触部間が開く量を全体的に均一化することができる。この場合、上記シャフト全体が作用点となって上記スライドプレートを押し、該スライドプレートの変形を防止することができる。したがって、上記各コンタクトピンの一対の弾性片の接触部間が開く量を全体的に均一化して電気的接触の安定化を図ることができる。また、スライドプレートを成形する金型を変更する必要もない。
【図面の簡単な説明】
【図１】  本発明による電気部品用ソケットの第１の実施形態を示す概略説明図で、（ａ）は平面図、（ｂ）はそのＣ−Ｃ線断面図である。
【図２】  上記電気部品用ソケットを構成するコンタクトピンを示す説明図である。
【図３】  上記電気部品用ソケットを構成するスライドプレート及びシャフトを示す説明図で、（ａ）は上記スライドプレートが移動する前の状態を示す平面図、（ｂ）はそのＤ−Ｄ線断面図、（ｃ）は上記シャフトがスライドプレートを押して移動させる状態を示す平面図である。
【図４】  上記電気部品用ソケットを構成するリンク機構の動作を示す説明図である。
【図５】  上記スライドプレートが移動してコンタクトピンを開閉する動作を示す説明図である。
【図６】  本発明の第２の実施の形態によるスライドプレートを示す説明図である。
【図７】  本発明の第３の実施の形態によるシャフトを示す説明図である。
【図８】  上記電気部品用ソケットの載置面にて保持されるＩＣパッケージを示す説明図である。
【図９】  従来の電気部品用ソケットを構成するスライドプレート及びシャフトを示す説明図で、（ａ）は上記スライドプレートが移動する前の状態を示す平面図、（ｂ）は上記シャフトがスライドプレートを押して移動させる状態を示す平面図である。
【符号の説明】
１…電気部品用ソケット
２…ソケット本体
２ａ…載置面
２ｂ…底部
２ｃ…圧入孔
３…コンタクトピン
３ｅ…接触部
４…スライドプレート
４ａ…ピン導入孔
４ｂ…シャフト通し穴
５…シャフト
６…リンク機構
７…操作部材
８…予圧プレート
８ａ…予圧孔
９…ロケートボード
１０…保持部材
２０，２０′…突起部
２１…凸部
２２…シャフト
【図１】
0003836005.tif 000002
【図２】
0003836005.tif 000003
【図３】
0003836005.tif 000004
【図４】
0003836005.tif 000005
【図５】
0003836005.tif 000006
【図６】
0003836005.tif 000007
【図７】
0003836005.tif 000008
【図８】
0003836005.tif 000009
【図９】
0003836005.tif 000010